(57)【要約】【課題】端末装置内では、検出不可能な端末装置の管理者、設置場所、使用目的等の棚卸情報を確実に入手する。【解決手段】特定期間毎に現在の日時情報と予め記憶された特定日時情報とを比較し、現在の日時情報が特定日時情報を経過したと判断された場合は、入力されるべきデータ項目を表示し、表示されたデータ項目にデータが入力されると、特定日時情報を予め設定された次回の特定日時情報で更新する更新手段とを有する。上記構成により、特定日以降から棚卸データが入力されるまで、端末の画面に棚卸入力を促す画面が表示されるため、端末使用者は棚卸データを入力する。【選択図】  図１
2005031748.tif 000002
【特許請求の範囲】
【請求項１】
特定の日時以降に指定項目に入力されたデータにより棚卸処理をする装置として機能する資産管理プログラムであって、
コンピュータに、
特定日時情報を予め記憶しておく記憶手段、
予め設定された期間毎に現在の日時情報と前記記憶手段の特定日時情報とを比較する比較手段、
前記比較手段により現在の日時情報が特定日時情報を経過したと判断された場合は、入力されるべきデータ項目を表示する表示手段、
前記表示手段に表示されたデータ項目にデータが入力されると、特定日時情報を予め設定された次回の特定日時情報で更新する更新手段、
として機能させるための資産管理プログラム。
【請求項２】
前記記憶手段は更に、特定日情報より後の日時で設定される第一の期限日時情報と管理者連絡先情報とを有し、前記比較手段は更に、予め設定された期間毎に現在の日時情報と前記記憶手段の第一の期限日時情報とを比較し、現在の日時情報が前記第一の期限日時情報を過ぎていると前記比較手段で判断された場合は、前記管理者連絡先情報の管理者に通知する通知手段を更に有することを特徴とする請求項１記載の資産管理プログラム。
【請求項３】
複数の部門で棚卸を管理する場合であって、前記記憶手段は更に、第一の期限日時情報より後の日時で設定される第二の期限日時情報、部門情報、を更に有し、  前記比較手段は更に、予め設定された期間毎に現在の日時情報と前記記憶手段の第二の期限日時情報とを比較し、現在の日時情報が前記第一の期限日時情報を過ぎていると前記比較手段で判断された場合は、部門情報が合致する前記管理者連絡先情報の管理者に通知する通知手段を更に有することを特徴とする請求項２記載の資産管理プログラム。
【請求項４】
前記記憶手段は更に、入力データが更新された日時情報として更新日時情報を有し、前記通知手段は更に、予め設定した期間情報に基づき、部門情報が合致する前記管理者連絡先情報の管理者の内、該期間情報の期間内に更新を行った管理者を選択して通知することを特徴とする請求項３記載の資産管理プログラム。
【請求項５】
特定の日時以降に指定項目に入力されたデータにより棚卸処理をする資産管理装置であって、
特定日時情報を予め記憶しておく記憶手段と、
予め設定された期間毎に現在の日時情報と前記記憶手段の特定日時情報とを比較する比較手段と、
前記比較手段により現在の日時情報が特定日時情報を経過したと判断された場合は、入力されるべきデータ項目を表示する表示手段と、
前記表示手段に表示されたデータ項目にデータが入力されると、特定日時情報を予め設定された次回の特定日時情報で更新する更新手段と、
を有することを特徴とする資産管理装置。
【発明の詳細な説明】
【０００１】
【発明の属する技術分野】
本発明は、ネットワークに接続された端末装置の資産管理において、端末装置に対して棚卸情報の入力を確実に行わせるプログラム及び装置に関する。
【０００２】
【従来の技術】
ネットワークに接続された端末装置の棚卸作業は、端末装置内のソフトウェアの棚卸作業については、自動で端末装置が有するソフトウェアを抽出し、サーバへ送信する棚卸処理プログラムは従来から行われている。
【０００３】
また、棚卸実行開始時刻になると端末に予め記憶されたエージェントプログラムが起動され棚卸データを作成し棚卸データを送信するものもある。（例えば、特許文献１参照。）。
【０００４】
【特許文献１】
特開２００２−３６６７３６号公報
【０００５】
【発明が解決しようとする課題】
端末装置のソフトウェア等はプログラムにより検出可能だが、端末装置の管理者、設置場所、使用目的等はプログラムでは検出不可能であり、端末装置の使用者が入力するしか方法が無かった。
【０００６】
しかし、使用者にとって、棚卸情報について更新する旨の通知が合った場合でも、利用者が情報更新の仕方を知らない、あるいは、プログラムの起動が手間である、等の理由からデータ更新を怠ることがあった。
【０００７】
本発明は、ネットワークに接続された端末装置の資産管理において、端末装置に対して棚卸情報の入力を確実に行うことを目的とする。
【０００８】
【課題を解決するための手段】
特定日時情報を予め記憶しておく記憶手段、予め設定された期間毎に現在の日時情報と前記記憶手段の特定日時情報とを比較する比較手段、前記比較手段により現在の日時情報が特定日時情報を経過したと判断された場合は、入力されるべきデータ項目を表示する表示手段、前記表示手段に表示されたデータ項目にデータが入力されると、特定日時情報を予め設定された次回の特定日時情報で更新する更新手段、を有する。この構成により、特定日以降において、端末の画面には特定時間毎に棚卸入力を促す画面が表示されるため、端末使用者は入力するようになる。
【０００９】
前記記憶手段は更に、特定日情報より後の日時で設定される第一の期限日時情報と管理者連絡先情報とを有し、前記比較手段は更に、予め設定された期間毎に現在の日時情報と前記記憶手段の第一の期限日時情報とを比較し、現在の日時情報が前記第一の期限日時情報を過ぎていると前記比較手段で判断された場合は、前記管理者連絡先情報の管理者に通知する通知手段を更に有する。この構成により、一定期間棚卸情報が更新されない場合、管理者に棚卸入力指示が送信されるため、管理者が棚卸指示を端末使用者に促す、あるいは管理者が棚卸情報を入力するようになる。
【００１０】
複数の部門で棚卸を管理する場合であって、前記記憶手段は更に、第一の期限日時情報より後の日時で設定される第二の期限日時情報、部門情報、を更に有し、前記比較手段は更に、予め設定された期間毎に現在の日時情報と前記記憶手段の第二の期限日時情報とを比較し、現在の日時情報が前記第一の期限日時情報を過ぎていると前記比較手段で判断された場合は、部門情報が合致する前記管理者連絡先情報の管理者に通知する通知手段を更に有する。この構成により、一定期間棚卸情報が更新されない場合、同部門の他の管理者に棚卸入力指示が送信されるため、より確実に管理者が棚卸指示を端末使用者に促す、あるいは管理者が棚卸情報を入力するようになる。
【００１１】
前記記憶手段は更に、入力データが更新された日時情報として更新日時情報を有し、前記通知手段は更に、予め設定した期間情報に基づき、部門情報が合致する前記管理者連絡先情報の管理者の内、該期間情報の期間内に更新を行った管理者を選択して通知する。この構成により、単に同部門の他の管理者に送付するのではなく、棚卸データを更新した管理者を選択して棚卸入力指示を送信するため、より確実に管理者が棚卸指示を端末使用者に促す、あるいは管理者が棚卸情報を入力するようになる。
【００１２】
【発明の実施の形態】
以下、本発明の実施の形態について図面を参照し、詳細に説明する。
【００１３】
図１にシステム構成図を示す。本発明のシステムは、棚卸管理サーバ１０、端末装置２０、棚卸端末データベース３０、ネットワーク４０、からなる。
【００１４】
棚卸管理サーバ１０は、棚卸管理プログラム１１を有しており、端末装置２０からの棚卸結果データを受信すると、棚卸管理プログラム１１は端末装置２０毎の棚卸データを棚卸端末データベース３０に保存すると共に、受信元の端末装置２０に対して、次に棚卸を行う日付データを送信する。
【００１５】
端末装置２０は棚卸の対象となる端末であり複数存在する。端末装置２０は端末棚卸プログラム２１を有しており、予め設定された期間毎に棚卸処理を実行する。また、端末装置２０は、ネットワーク４０を介して棚卸管理サーバ１０に接続されており、棚卸結果データの送信、及び次に棚卸を行う日付データを受信する。
【００１６】
棚卸端末データベース３０は、各端末装置２０毎の棚卸実施指示日、各端末装置２０毎に設定された次に棚卸を行う次回棚卸実施日、端末装置２０に関する現在の棚卸結果が格納される。
【００１７】
ネットワーク５０はインターネット網などのデータ通信網であり、端末装置２０と棚卸管理サーバ１０との間でデータを送受信がなされる。
【００１８】
図２に棚卸端末データベース３０の構成図を示す。棚卸端末データベース３０は端末ＩＤ３１、棚卸実施指示日３２、次に棚卸を行う次回棚卸実施日３３、および棚卸結果３４が保存される。端末ＩＤ３１は棚卸管理サーバ１０にネットワーク４０を介して接続される端末装置２０に付与されるＩＤ番号であり、棚卸実施指示日３２は、端末装置２０が棚卸処理を行う実施日を登録したものであり、次回棚卸実施日３３は、棚卸実施指示日３２で端末装置２０において棚卸情報が入力され、棚卸情報を棚卸管理サーバが受信した場合は、次回に棚卸を行う日付データとして端末装置２０に対して送信するものであり、棚卸結果３４は、機器種別、機器型名、製造番号、設置場所、用途、管理番号、管理部署、管理担当者、管理連絡先、使用部署、使用連絡先、使用者等の端末ＩＤ３１に対応する端末装置２０の棚卸情報である。
【００１９】
図３に棚卸実施指示日における端末装置２０の棚卸処理についてのフローチャートを示す。
【００２０】
端末装置２０に棚卸を行う実施日になったか否かを判定するため、端末棚卸プログラム２１は予め登録された棚卸実施指示日３２データを呼び出す。（Ｓ１０１）。
【００２１】
端末棚卸プログラム２１は、Ｓ１０１で呼び出された棚卸実施指示日３２データが今日の日付を過ぎたか否かを判定し、棚卸実施指示日３２データが今日の日付を過ぎている場合はＳ１０３以降の棚卸処理を実行し、過ぎていない場合は棚卸処理をせずに終了となる。（Ｓ１０２）。
【００２２】
端末棚卸プログラム２１は、Ｓ１０２で棚卸実施指示日３２データが今日の日付を過ぎていると判定した場合は、棚卸処理を実行する。この際、前回の棚卸処理時に保存された棚卸データ、及び今回の棚卸処理中に一時保存した棚卸データがあるか否かを判定する。（Ｓ１０３）。
【００２３】
棚卸データがある場合は棚卸データを呼び出し（Ｓ１０４）、端末装置２０に棚卸データを入力する項目を有した画面を表示させると共に、Ｓ１０４で呼出した棚卸データを入力画面の項目に書き込む。（Ｓ１０５）。
【００２４】
図５に棚卸データの入力画面を示す。図５では、前回の棚卸データを左側の列に表示させ、今回の棚卸データを右側に表示させている。図５では、前回の棚卸データと比較して、今回の棚卸データでは、設置場所、用途が変更となっている。このように前回の棚卸を実施した際のデータか、今回の棚卸処理で一時的に保存した棚卸データであるのかについて区別する方式とする構成としても良い。
【００２５】
端末棚卸プログラム２１は、入力画面の全項目について棚卸データが入力されたか否かを判定する。（Ｓ１０６）。Ｓ１０６で全項目について棚卸データが入力されたと判定された場合は棚卸管理サーバ１０に端末ＩＤデータ３１と棚卸結果３４とを送信する（Ｓ１０７）。
【００２６】
棚卸管理サーバ１０の棚卸管理プログラム１１では、Ｓ１０７で送信された端末ＩＤ３１と棚卸結果３４とで棚卸端末データベース３０の端末ＩＤに該当する端末装置の棚卸データを更新し、端末ＩＤ３１に対応する次回の棚卸実施日３３を送信する。
【００２７】
端末棚卸プログラム２１は、次回の棚卸実施日３３を受信すると棚卸プログラム２１の棚卸日データを次回の棚卸実施日３３に更新し（Ｓ１０８）、棚卸完了日３７を更新する。
【００２８】
また、Ｓ１０６で全データ項目に入力されていない場合は、Ｓ１０５に戻り常に棚卸データの入力を受付ける状態が続くが、端末棚卸プログラム２１の終了指示が入力された（Ｓ１０９）場合は、現在までに書き込まれた棚卸データを図示しない端末装置２０の記憶手段に記憶して終了する（Ｓ１１０）。
【００２９】
以上が端末装置２０での端末棚卸プログラム２１の処理の例である。端末棚卸プログラム２１は、例えば端末装置２０の起動時に自動で起動されるようにしておいても良いし、端末装置２０がタイマ機能を有する場合は、決められた時刻に起動するような設定としておいてもよい。更に端末棚卸プログラム２１のインストール時においては、インストールした日付を棚卸実施指示日３２データとして記憶することも可能であるし、インストール時に棚卸管理サーバから棚卸実施指示日３２データを受信する方法としても良い。
【００３０】
次に、棚卸実施指示日３２を越え、端末装置２０上の画面に棚卸データ入力画面が表示された場合であっても、棚卸データが更新されない場合について説明する。
【００３１】
図５に第二の実施例での棚卸端末データベース３０のデータ構成図を示す。
【００３２】
本実施例では、棚卸端末データベース３０に第一延長期限日３５、第二延長期限日３６が追加される。
第一延長期限日３５は、棚卸入力画面が端末装置２０に表示されている状態だが、棚卸データが入力されない場合に、前回の棚卸結果３４に基づき管理者に電子メールで通知するための期限を設定したものである。
第二延長期限日３６は、第一延長期限日３５を過ぎて、前回の棚卸データに記載された管理者に電子メールで通知したが、棚卸データが入力されない場合に前回の棚卸結果３４に基づき、同部門の他の管理者に電子メールで通知するための期限を設定したものである。
【００３３】
図６に第二の実施例での期限超過時の棚卸管理処理のフローチャートを示す  本棚卸実施処理は、棚卸管理サーバ１０の棚卸管理プログラム１１により実行されものであり、予め定められた期間毎に、且つ、棚卸端末データベース３０の全棚卸端末レコードについて処理を行うものである。
【００３４】
棚卸管理プログラム１１は、棚卸端末データベース３０の処理対象となる棚卸端末レコードの棚卸結果３４をの呼び出す（Ｓ２０１）。
【００３５】
棚卸管理プログラム１１は、今日の日付データが、Ｓ２０１で呼び出した棚卸結果３４の第一延長期限日３５を経過したか否かを判定し（Ｓ２０２）、経過した場合は、Ｓ２０３以降の延長時の処理を行い、経過していない場合は、通知する必要は無いため、そのまま終了し、次の棚卸端末レコードについて処理を行う。
【００３６】
Ｓ２０２で今日の日付データが第一の延長期限日３５を経過している場合は、今日の日付データが第二延長期限日３６を経過したか否かを判定する（Ｓ２０３）。今日の日付データが第二延長期限日３６を経過していない場合は、Ｓ２０４以降の第一延長期限日３５を経過した場合の処理を行い、経過した場合はＳ２０６以降の第二延長期限日３６を経過した場合の処理を行う。
【００３７】
Ｓ２０３で第一延長期限日３５から第二延長期限日３６までの期間と判定された場合は、Ｓ２０１で呼び出した棚卸結果３４の以前の棚卸時に入力された管理者メールアドレス宛にメールを送信する（Ｓ２０４）。Ｓ２０４でメールを送信した管理者メールアドレスをアドレスＡとして、ここでは図示しないが棚卸端末データベース３０に保存する（Ｓ２０５）。
【００３８】
Ｓ２０３で第二延長期限日３６を経過したと判定された場合は、棚卸端末データベース３０中の全ての棚卸端末レコードについて棚卸結果３４の管理部門が、現在対象としている棚卸レコードと合致する棚卸レコードを抽出する（Ｓ２０６）。
【００３９】
更に、呼び出した棚卸レコードの内、棚卸実施指示日３２から第二延長期限日３６までに棚卸更新処理が行われたか否かを棚卸完了日３７に基づき券Ｓ買うし棚卸更新処理が行われた棚卸レコードを抽出する（Ｓ２０７）。
抽出した棚卸レコードの内、Ｓ２０５で保存したメールアドレスであるアドレスＡと合致しないメールアドレスを有する棚卸レコードを抽出する（Ｓ２０８）。Ｓ２０８で抽出された棚卸レコードの管理者メールアドレス宛てにメール送信する（Ｓ２０９）。
【００４０】
上記Ｓ２０６からＳ２０９までの処理により、前回の棚卸データで同部門の他の管理者であって、且つ、今日の日付に近い期間で棚卸データを更新した実績のある管理者にメールを送信することが可能となる。
【００４１】
他の実施例としては、期日による送付先の追加、変更などは、実際の運用状況により適宜行うことが可能である。
【００４２】
以上のように本実施例によれば、ネットワークに接続された端末装置の資産管理において、端末装置に対して棚卸情報の入力を確実に行うことができる。  棚卸管理サーバ１０を構成するハードウェアとしては、ＣＰＵと、ＲＯＭと、ＲＡＭと、ＨＤＤ（ハードディスクドライブ）と、ＨＤ（ハードディスク）と、ＦＤＤ（フレキシブルディスクドライブ）と、着脱可能な記録媒体の一例としてのＦＤ（フレキシブルディスク）と、ディスプレイと、Ｉ／Ｆ（インタフェース）と、キーボードと、マウスとを備えている。また、各構成部はバスによってそれぞれ接続されている。
【００４３】
ＣＰＵは、棚卸管理サーバ１０全体の制御を司る。ＲＯＭは、ブートプログラムなどのプログラムを記憶している。ＲＡＭは、ＣＰＵのワークエリアとして使用される。ＨＤＤは、ＣＰＵの制御にしたがってＨＤに対するデータのリード／ライトを制御する。ＨＤは、ＨＤＤの制御で書き込まれたデータを記憶する。
【００４４】
ＦＤＤは、ＣＰＵの制御にしたがってＦＤに対するデータのリード／ライトを制御する。ＦＤは、ＦＤＤの制御で書き込まれたデータを記憶したり、ＦＤに記録されたデータを情報処理装置へ読み取らせたりする。着脱可能な記録媒体として、ＦＤのほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイは、カーソル、アイコンあるいはツールボックスをはじめ、文書、画像、機能情報などのデータに関するウインドウ（ブラウザ）を表示する。たとえば、ＣＲＴ、ＴＦＴ液晶ディスプレイ、プラズマディスプレイなどである。
【００４５】
そして、上記ＲＯＭ、ＲＡＭ、ＨＤ、ＦＤなどに格納された棚卸管理プログラム１１をＣＰＵが実行することによってその機能を実現する。
【００４６】
また、棚卸端末データベース３０に格納される各種データおよびデータテーブルの一部は、ワークエリア的な目的で使用されるＲＡＭに必要に応じて生成消去されることもある。
【００４７】
Ｉ／Ｆ（インタフェース）は、通信回線を通じてＬＡＮやインターネットなどのネットワークに接続され、ネットワークを介して、他の情報処理装置（サーバなど）に接続される。そして、Ｉ／Ｆは、ネットワークと内部とのインタフェースを司り、他のサーバや情報端末装置からのデータの入出力を制御する。Ｉ／Ｆは、たとえばモデムなどである。また、情報提供装置が携帯電話機などと無線通信をおこなう場合には、Ｉ／Ｆが通信機（無線送受信機）としての機能も備える。
【００４８】
キーボードは、文字、数字、各種指示などの入力のためのキーを備え、データの入力をおこなう。タッチパネル式の入力パッドなどであってもよい。マウスは、カーソルの移動や範囲選択、あるいはウインドウの移動やサイズの変更などをおこなう。ポインティングデバイスとして同様の機能を備えるものであれば、トラックボール、ジョイスティックなどであってもよい。
【００４９】
上記構成と同様に利用者端末２０、及び端末棚卸プログラム２１についても同様に構成されるものとする。
【００５０】
尚、前述したハードウェアの構成はＣＰＵの性能強化のために、現在ではどこでどの機能が行われなければならないといった厳密な制約がなくなってきており、また、プログラムの実施に関しても、個々の構成要素の配置を厳密に解釈すべきではない。
【００５１】
（付記１）
特定の日時以降に指定項目に入力されたデータにより棚卸処理をする装置として機能する資産管理プログラムであって、
コンピュータに、
特定日時情報を予め記憶しておく記憶手段、
予め設定された期間毎に現在の日時情報と前記記憶手段の特定日時情報とを比較する比較手段、
前記比較手段により現在の日時情報が特定日時情報を経過したと判断された場合は、入力されるべきデータ項目を表示する表示手段、
前記表示手段に表示されたデータ項目にデータが入力されると、特定日時情報を予め設定された次回の特定日時情報で更新する更新手段、
として機能させるための資産管理プログラム。
【００５２】
（付記２）
前記記憶手段は更に、特定日情報より後の日時で設定される第一の期限日時情報と管理者連絡先情報とを有し、前記比較手段は更に、予め設定された期間毎に現在の日時情報と前記記憶手段の第一の期限日時情報とを比較し、現在の日時情報が前記第一の期限日時情報を過ぎていると前記比較手段で判断された場合は、前記管理者連絡先情報の管理者に通知する通知手段を更に有することを特徴とする付記１記載の資産管理プログラム。
【００５３】
（付記３）
複数の部門で棚卸を管理する場合であって、前記記憶手段は更に、第一の期限日時情報より後の日時で設定される第二の期限日時情報、部門情報、を更に有し、前記比較手段は更に、予め設定された期間毎に現在の日時情報と前記記憶手段の第二の期限日時情報とを比較し、現在の日時情報が前記第一の期限日時情報を過ぎていると前記比較手段で判断された場合は、部門情報が合致する前記管理者連絡先情報の管理者に通知する通知手段を更に有することを特徴とする付記２記載の資産管理プログラム。
【００５４】
（付記４）
前記記憶手段は更に、入力データが更新された日時情報として更新日時情報を有し、前記通知手段は更に、予め設定した期間情報に基づき、部門情報が合致する前記管理者連絡先情報の管理者の内、該期間情報の期間内に更新を行った管理者を選択して通知することを特徴とする付記３記載の資産管理プログラム。
【００５５】
（付記５）
特定の日時以降に指定項目に入力されたデータにより棚卸処理をする資産管理装置であって、
特定日時情報を予め記憶しておく記憶手段と、
予め設定された期間毎に現在の日時情報と前記記憶手段の特定日時情報とを比較する比較手段と、
前記比較手段により現在の日時情報が特定日時情報を経過したと判断された場合は、入力されるべきデータ項目を表示する表示手段と、
前記表示手段に表示されたデータ項目にデータが入力されると、特定日時情報を予め設定された次回の特定日時情報で更新する更新手段と、
を有することを特徴とする資産管理装置。
【００５６】
（付記６）
前記記憶手段は更に、特定日情報より後の日時で設定される第一の期限日時情報と管理者連絡先情報とを有し、前記比較手段は更に、予め設定された期間毎に現在の日時情報と前記記憶手段の第一の期限日時情報とを比較し、現在の日時情報が前記第一の期限日時情報を過ぎていると前記比較手段で判断された場合は、前記管理者連絡先情報の管理者に通知する通知手段を更に有することを特徴とする付記５記載の資産管理装置。
【００５７】
（付記７）
複数の部門で棚卸を管理する場合であって、前記記憶手段は更に、第一の期限日時情報より後の日時で設定される第二の期限日時情報、部門情報、を更に有し、前記比較手段は更に、予め設定された期間毎に現在の日時情報と前記記憶手段の第二の期限日時情報とを比較し、現在の日時情報が前記第一の期限日時情報を過ぎていると前記比較手段で判断された場合は、部門情報が合致する前記管理者連絡先情報の管理者に通知する通知手段を更に有することを特徴とする付記６記載の資産管理装置。
【００５８】
（付記８）
前記記憶手段は更に、入力データが更新された日時情報として更新日時情報を有し、前記通知手段は更に、予め設定した期間情報に基づき、部門情報が合致する前記管理者連絡先情報の管理者の内、該期間情報の期間内に更新を行った管理者を選択して通知することを特徴とする付記７記載の資産管理装置。
【００５９】
【効果】
上記説明から明らかなように、本発明によれば、ネットワークに接続された端末装置の棚卸処理を確実に行うことが可能となる。
【図面の簡単な説明】
【図１】システム構成図
【図２】棚卸端末データベース３０のデータ構成図
【図３】棚卸実施指示日の端末棚卸のフローチャート
【図４】棚卸データ入力画面
【図５】第二の実施例での棚卸端末データベース３０のデータ構成図
【図６】第二の実施例での期限超過時の棚卸管理処理のフローチャート
【符号の説明】
１０：棚卸管理サーバ
１１：棚卸管理プログラム
２０：端末装置
２１：棚卸端末プログラム
３０：棚卸端末データベース
４０：ネットワーク
【図１】
2005031748.tif 000003
【図２】
2005031748.tif 000004
【図３】
2005031748.tif 000005
【図４】
2005031748.tif 000006
【図５】
2005031748.tif 000007
【図６】
2005031748.tif 000008